(57)【要約】      （修正有）【課題】装着及び持ち運びが簡単で、例えばトイレを使用するとき等に、パンツ類の裾等が便器や床に付いて汚れるのを保護するための裾の汚れ防止補助具を提供する。【解決手段】中央に第１リング用連結穴を有して人体５０の腰部５１に装着する伸縮可能な第１リング１１と、中央に第２リング用連結穴１２ａを有して第１リング１１と互いに交差して鎖状に連結配置され、ズボン３０の内側でズボン３０のウエスト部分３２側から裾３１側に向かって垂らした状態で配設される伸縮可能な第２リング１２と、中央に第３リング用連結穴１３ａを有して第１リング１１と互いに交差して鎖状に連結配置され、ズボン３０の内側でズボン３０のウエスト部分３２側から裾３１側に向かって垂らした状態で配設される伸縮可能な第３リング１３と、を備えてなる。【選択図】図３
0003205748.tif 000002
【実用新案登録請求の範囲】
【請求項１】
人体の脚部に装着してトイレでパンツ類の裾を保護する裾の汚れ防止補助具であって、
中央に第１リング用連結穴を有して腰部に装着する伸縮可能な第１リングと、
中央に第２リング用連結穴を有して前記第１リングと互いに交差して鎖状に連結配置され、前記パンツ類の内側で前記パンツ類のウエスト部分側から前記裾側に向かって垂らした状態で配設される伸縮可能な第２リングと、
中央に第３リング用連結穴を有して前記第１リングと互いに交差して鎖状に連結配置され、前記パンツ類の内側で前記パンツ類の前記ウエスト部分側から前記裾側に向かって垂らした状態で配設される伸縮可能な第３リングと、
を備えてなることを特徴とする裾の汚れ防止補助具。
【請求項２】
前記第１リングと前記第２リングと前記第３リングは、それぞれゴムバンドで形成されてなる、ことを特徴とする請求項１に記載の裾の汚れ防止補助具。
【請求項３】
前記第２リングと前記第３リングは、前記第１リングとの連結位置を前記第１リングの周回方向に各々調整可能に設けてなる、ことを特徴とする請求項１又は請求項２に記載の裾の汚れ防止補助具。
【請求項４】
前記第１リングのリングサイズは前記腰部の周回サイズよりも小さく形成され、前記第２リング及び前記第３リングの半径のサイズは、前記腰部に装着された前記第１リングから垂れ下げられた状態において、前記パンツ類の前記裾から下側に出ない大きさで形成されている、ことを特徴とする請求項１から請求項３のいずれか１項に記載の裾の汚れ防止補助具。
【考案の詳細な説明】
【技術分野】
【０００１】
本考案は裾の汚れ防止補助具に関するものであり、特に、例えばトイレを使用するとき等に、ズボン、裾の広がったパンツ(「ガウチョパンツ」とも言う)及びキュロットや上下が繋がった服(「オールインワン」とも言う)等の、衣服の裾を汚れから保護するための裾の汚れ防止補助具に関するものである。
【背景技術】
【０００２】
今日、ズボンの他、ファッション性の優れた洋服として、裾の広がったガウチョパンツ及びキュロットや上下が繋がったオールインワン等の衣服(以下、これらを総称して「パンツ類」という)が知られている。
【０００３】
このようなパンツ類では、公衆トイレ等で用を足すとき、腰部からパンツ類のウエスト部分を下ろすと同時に裾が落ち、その裾が便器や床に接触して汚れることがある。特に、オールインワンのような衣服の場合は、トイレの時に、繋がっている上部衣服まで脱がなければならず、下部パンツを下ろす時に上部衣服が垂れ下がり、床について汚れてしまうことが懸念される。
【０００４】
そのため、従来から、パンツ類において、腰部からウエスト部分を下ろしたときに、裾が便器や床に接触しないように保護するための工夫をしたものが複数提案されている(例えば、特許文献１、特許文献２)。
【０００５】
特許文献１では、洋式トイレに座って用を足すとき、下ろした衣服を容易に束ねて保持できる結束具をパンツ類、すなわちズボン内側の股部に縫い付けたものである。その結束具は、ズボン内側の股部に縫い付けて固定された柔軟な長尺体と、長尺体の両端部にそれぞれ取り付けられて互いに係合離脱可能な１対の雄ホック及び雌ホックからなる係合具と、で構成されている。そして、結束具付ズボンを履いた状態で洋式トイレに座って用を足すとき、(１)ズボンと下着を下ろしながら便座に腰掛け、その下ろしたズボンの股上部と股部及び下着とを、膝頭のやや下側の位置で両脚の間に繋がった状態にして一つにまとめる。(２)次いで、その両脚の間に繋がって一つにまとめられている部分を結束具の長尺体で束ね、更に係合具である雌ホックと雄ホックを係合させる。これにより、ズボンと下着が便器や床に付かない位置に保持され、下ろしたズボンと下着が便器や床に付くのを防止できるようにしたものである。
【０００６】
特許文献２では、互いに係合離脱可能な面状ファスナーを両端に取り付け、通常は１本の帯状で、使用時にはリング状に形成できる平ゴム紐を２本用意しておく方法である。この方法では、トイレに座って用を足すとき、(１)まず、両脚の膝下からふくらはぎまでの間の任意の位置に、ズボンの上から平ゴム紐を各々１本ずつ巻き付け、その巻き付けた平ゴム紐の両端を面状ファスナーで止めて各々リング状にして装着する。(２)その後、平ゴム紐を装着した上当たりの、ズボンの一部を引き上げてズボンの裾を上げる。こうして両脚の裾上げを施した後に用を足すことにより、下ろしたズボンの裾が便器や床に付くのを防止できるようにしたものである。
【先行技術文献】
【特許文献】
【０００７】
【特許文献１】実用新案登録第３１９０３５２号公報
【特許文献２】実用新案登録第３１３２９２８号公報
【考案の概要】
【考案が解決しようとする課題】
【０００８】
しかしながら、特許文献１記載の汚れ防止方法のように、結束具をズボン内側の股部に縫い付けている構造では、結束具を、ズボン毎に予め縫い付けておかなければならない。このため、結束具は縫い付けたズボンでのみ使用することができ、他のズボン等に簡単に付け替えて使用することができないという問題点があった。また、結束具を不要とする場合であっても、結束具は簡単に取り外すことができない。したがって、仕方なしに結束具を装着したままでズボンを履かざるを得ないこともあり、ズボンの履き心地を悪くする問題点もあった。
【０００９】
一方、特許文献２記載の汚れ防止方法のように、両端に面状ファスナーを取り付けた２本の平ゴム紐を用意しておく方法では、２本の平ゴム紐をバックやポケット等に入れて常に持ち歩く必要がある。このため、持ち歩くのを忘れる、あるいは持ち歩いている間に落として、必要なときに使用することができないという問題点があった。また、持ち歩くのが面倒であるという問題点もあった。
【００１０】
そこで、本考案は上記問題点に鑑みなされたものであり、使用及び持ち運びが簡単で、例えばトイレを使用するとき等に、パンツ類の裾が便器や床に付いて汚れるの保護するための裾の汚れ防止補助具を提供することを目的としている。
【課題を解決するための手段】
【００１１】
本考案は上記目的を達成するために提案されたものであり、請求項１に係る本考案は、人体の脚部に装着してトイレでパンツ類の裾を保護する裾の汚れ防止補助具であって、中央に第１リング用連結穴を有して腰部に装着する伸縮可能な第１リングと、中央に第２リング用連結穴を有して前記第１リングと互いに交差して鎖状に連結配置され、前記パンツ類の内側で前記パンツ類のウエスト部分側から前記裾側に向かって垂らした状態で配設される伸縮可能な第２リングと、中央に第３リング用連結穴を有して前記第１リングと互いに交差して鎖状に連結配置され、前記パンツ類の内側で前記パンツ類の前記ウエスト部分側から前記裾側に向かって垂らした状態で配設される伸縮可能な第３リングと、を備えてなることを特徴とする。
【００１２】
この構成によれば、前記第２リングと前記第３リングは、それぞれ前記第１リングに対して鎖状に連結配置されている。したがって、前記第１リングを前記腰部に装着すると、前記第２リングと前記第３リングも、前記第１リングから鎖状に垂れ下がった状態で一体に装着される。そして、この状態でパンツ類を着用し、前記パンツ類の前記ウエスト部分で前記第１リングを隠し、さらに前記第１リングから垂れ下がった前記第２リングと前記第３リングをそれぞれ前記パンツ類の１対の異なる脚部内に垂れ下げて前記パンツ類内に収めておくと、前記第１、第２、第３のリングが、外部から見えないように隠した状態で装着することができる。したがって、装着しているのを他人に知られることなく、そのまま外出等をすることができる。そして、トイレに座って用を足すときには、(１)まず、前記両方の脚部の前記裾をそれぞれまくり、あるいは裾からそれぞれ手を差し入れて、前記第２リングと前記第３リングを引き出して各々手首にかける。(２)次いで、前記第２リングと前記第３リングを前記手首にかけたまま身体を起こすと、前記パンツ類の前記裾が上がり、前記裾が便器や床に付くのを防止(保護)できる。(３)続いて、そのままパンツ等の下着を下げて用を足す。(４)その後、お尻を拭くときには、前記第２リングと前記第３リングを片方の手に持ち直すことにより、空いた片方の手で拭くことができる。(５)また、用を足した後は立ち上がり、立ち上がった状態で前記パンツ等の下着を履き直す。(６)次いで、手から前記第２リングと前記第３リングを外すと、前記裾を前記便器や前記床に付かない位置まで下ろすことができる。そして、手から外された前記第２リングと前記第３リングは、それぞれ前記パンツ類の内側へと逃がされ、再び外部から見えないように隠される。したがって、この構造では、前記裾の防止補助具自体が単品で形成され、前記パンツ類を変更しても同じ前記裾の汚れ防止補助具を装着して使用することができる。また、前記腰部に装着したままでも、外部から装着を知られることがなく、常に持ち歩くことができる。なお、上下が繋がったオールインワン等のパンツ類の場合は、トイレの時に、下部パンツと繋がっている上部衣服まで脱がなければならないが、この裾の汚れ防止補助具を使用した場合では、下部パンツの裾と上部衣服をまとめてたくし上げて、上下の衣服の汚れを防止できる。
【００１３】
請求項２に係る本考案は、前記第１リングと前記第２リングと前記第３リングは、それぞれゴムバンドで形成される、ことを特徴とする。
【００１４】
この構成によれば、前記腰部に対して前記第１リングを脱着するとき、ゴムバンドで形成された前記第１リングはゴムの弾力で伸びるので脱着がし易すい。また、ゴムバンドで形成された前記第２リングと前記第３リングもゴムの弾力で伸びるので、前記パンツ類の両脚の裾から前記第２リングと前記第３リングをそれぞれ引き出し、その引き出した前記第２リングの下端部と前記第３リングの下端部に手首を容易にかけることができる。そして、前記第２リングと前記３リングを前記手首にかけたままの状態で身体を起こすと、前記パンツ類の前記裾が簡単に持ち上がり、前記裾が前記便器や前記床に付くのを防止(保護)できる。
【００１５】
請求項３に係る本考案は、前記第２リングと前記第３リングは、前記第１リングとの連結位置を前記第１リングの周回方向に調整可能に設けてなる、ことを特徴とする。
【００１６】
この構成によれば、前記第２リングの前記第１リングに対する前記連結位置と前記第３リングの前記第１リングに対する前記連結位置を、前記第１リングの周回方向に各々ずらして調整をすることができるので、各人に適した位置に第２リング及び第３リングを配置して装着することができる。これにより、違和感を無くして装着することができる。
【００１７】
請求項４に係る本考案は、前記第１リングのリングサイズは前記腰部の周回サイズよりも小さく形成され、前記第２リング及び前記第３リングの半径のサイズは、前記腰部に装着された前記第１リングから垂れ下げられた状態において、前記パンツ類の前記裾から下側に出ない大きさで形成されている、ことを特徴とする。
【００１８】
この構成によれば、前記第１リングのリングサイズは前記腰部の周回サイズよりも小さく、そして前記腰部からずれ落ちないように形成されているので、前記第１リングを前記腰部に装着したままであっても前記裾の汚れ防止補助具全体が前記腰部からずれ落ちることがない。また、前記裾の汚れ防止補助具を装着したままの状態で歩いたりしても、前記第２リング及び前記第３リングが前記パンツ類の前記裾から下側に出ることがないので、他人から見えて装着しているのを知られることもない。
【考案の効果】
【００１９】
本考案によれば、裾の汚れ防止補助具自体が単品で形成され、パンツ類を変更しても同じ裾の汚れ防止補助具を装着することができる。このため、裾の汚れ防止補助具自体は少なくとも一つだけ用意をしておけばよい。したがって、ユーザ側での経済的な負担が非常に少なくて済むという効果がある。また、前記腰部に装着したままの状態でパンツ類を履いて外出等しても、他人から裾の汚れ防止補助具を装着しているのを知られることもないので、常に持ち歩くことができて便利で、さらに常に身に付けていることから紛失することもない等の効果が得られる。
【図面の簡単な説明】
【００２０】
【図１】本考案の一実施例に係る裾の汚れ防止補助具を人体に装着しないときの状態で示す正面図である。
【図２】同上裾の汚れ防止補助具を人体に装着するときの状態で示す正面図である。
【図３】同上裾の汚れ防止補助具の装着状態を説明するための模式図であり、(ａ)は人体がパンツ類を履いていない状態を示す図、(ｂ)は人体がパンツ類を履いたときの状態を示す図である。
【図４】同上裾の汚れ防止補助具の使用法を説明するための模式図であり、パンツ類の裾から第２リングの下端を取り出すときの一例を示している。
【図５】同上裾の汚れ防止補助具の使用法を説明するための模式図であり、第２リングと第３リングを手首に掛けて裾をまくり上げているときの一例を示している。
【図６】同上裾の汚れ防止補助具の使用法を説明するための模式図であり、裾をまくり上げ、更にパンツ等の下着を下げている状態の一例を示している。
【図７】同上裾の汚れ防止補助具の使用法を説明するための模式図であり、パンツ等の下着を下げて用を足している状態の一例を示している。
【図８】同上裾の汚れ防止補助具の使用法を説明するための模式図であり、用を足し終え、立ち上がった状態の一例を示している。
【図９】同上裾の汚れ防止補助具の使用法を説明するための模式図であり、用を足し終えて立ち上がり、更に手首にかけている第２リングと第３リングを手首から離した後の状態の一例を示している。
【考案を実施するための形態】
【００２１】
以下、本考案を実施するための形態(以下、「実施形態」という)を、添付図面に基づいて詳細に説明する。なお、以下の説明では、実施形態の説明の全体を通して同じ要素には同じ番号を付している。
【００２２】
図１及び図２は本考案に係る裾の汚れ防止補助具１０を示すもので、図１は人体に装着していないときの状態で示す裾の汚れ防止補助具１０の正面図、図２は人体に装着するときの状態で示す裾の汚れ防止補助具１０の正面図である。また、図３は裾の汚れ防止補助具１０を人体５０の腰部５１に装着した状態を示す模式図であり、同図の(ａ)は人体５０がパンツ類３０を履いていない状態を示す図、同図の(ｂ)は人体５０がパンツ類３０を履いた状態を示す図である。なお、パンツ類３０は、ズボン、又は、裾の広がったガウチョパンツやキュロット、上下が繋がったオールインワン等であり、本実施例では裾３１の広がったズボンの場合を示している。したがって、以下の説明ではパンツ類３０をズボン３０として説明する。
【００２３】
図１、図２、図３において、裾の汚れ防止補助具１０は、人体５０の腰部５１に装着可能な第１リング１１と、第１リング１１と互いに交差して、その第１リング１１と鎖状に連結配置された伸縮可能な第２リング１２と、第１リング１１と互いに交差して、その第１リング１１と鎖状に連結配置された伸縮可能な第３リング１３と、を具備してなる。
【００２４】
第１リング１１は、断面が丸形をしたゴムバンドをリング状に繋ぎ、その中央に第１リング用連結穴１１ａを設けて輪ゴムとして形成されている。第１リング１１のリングサイズは、人体５０の腰部５１の周回サイズよりも小さく形成されており、腰部５１には第１リング１１のゴムを伸ばしてゴムの弾力で締め付けてずれ落ちない状態にして装着するように設定される。したがって、第１リング１１を形成しているゴムバンドの太さ及び弾力は、腰部５１に第１リング１１を装着しているとき、腰部５１から第１リング１１がずれ落ちない程度のものを選択する。
【００２５】
第２リング１２は、断面が丸形をした平板状のゴムバンドをリング状に繋ぎ、その中央に第２リング用連結穴１２ａを設けて輪ゴムとして形成されている。また、第２リング１２はリング状に繋がれるとき、第１リング１１の第１リング用連結穴１１ａ内を第２リング１２が通ると共に、第２リング１２の第２リング用連結穴１２ａ内を第１リング１１が通るようにして互いに交差し、第１リング１１に対し鎖状に連結配置されて、図２に示すように第１リング１１から垂れ下げ可能に形成されている。その第２リング１２の半径のサイズは、第１リング１１が図３の(ａ)、(ｂ)に示すように腰部５１に装着されて、第２リング１２が第１リング１１から垂れ下げられたとき、第２リング１２の下端１２ｂ側が図３の(ｂ)に示すようにズボン３０の裾３１から下方に出ないで、かつズボン３０の裾３１から手５４を差し込んで、その下端１２ｂを手５４で容易に掴める大きさとなるように設定されている。なお、第２リング１２を形成しているゴムバンドの太さは直径約１〜３ミリであるが、これ以外のものであっても差し支えない。
【００２６】
第３リング１３は、断面が丸形をしたゴムバンドをリング状に繋ぎ、その中央に第３リング用連結穴１３ａを設けて輪ゴムとして形成されている。また、第３リング１３はリング状に繋がれるとき、第１リング１１の第１リング用連結穴１１ａ内を第３リング１３が通ると共に、第３リング１３の第３リング用連結穴１３ａ内を第１リング１１が通るようにして互いに交差し、第１リング１１に対し鎖状に連結配置されて、図２に示すように第１リング１１から垂れ下げ可能に形成されている。その第３リング１３の半径のサイズは、第２リング１２の場合と同様に第１リング１１が図３の(ａ)、(ｂ)に示すように腰部５１に装着されて、第３リング１３が第１リング１１から垂れ下げられたとき、第３リング１３の下端１３ｂ側が図３の(ｂ)に示すようにズボン３０の裾３１から下方に出ないで、かつズボン３０の裾３１から手５４を差し込んで、その下端１２ｂを手５４で容易に掴める大きさとなるように設定されている。なお、第３リング１３を形成しているゴムバンドの太さは直径約１〜３ミリであるが、これ以外のものであっても差し支えない。
【００２７】
また、第１リング１１に対して鎖状に連結配置された第２リング１２及び第３リング１３は、第１リング１１との連結位置をそれぞれ図２及び図３中に矢印２０で示す第１リング１１の周回方向に調整可能にして設けられている。そして、その位置調整により、第１リング１１に対する第２リング１２及び第３リング１３が、装着する人体５０の両方の脚５２、５２の膝の前あたりに来るようにして装着できるようになっている。
【００２８】
次に、本考案に係る裾の汚れ防止補助具１０の使用の仕方を図３〜図９を用いて(１)〜(７)の順に説明する。
【００２９】
(１)まず、第２リング１２及び第３リング１３と一体化されている第１リング１１を、人体５０の腰部５１に装着する。ここでは、第１リング１１がゴムバンドで伸縮可能に形成されているので、第１リング１１を伸ばして拡げた状態で腰部５１まで運び、腰部５１まで運ばれたら伸ばすのを止めると、その第１リング１１が腰部５１をゴムの弾力で締め付けた状態で装着される。そして、第２リング１２及び第３リング１３は、図３の(ａ)に示すように人体５０の前側において、それぞれ第１リング１１から垂れ下げられた状態にして配置される。
【００３０】
(２)次いで、人体５０の脚５２、５２の上からズボン３０を履く。そして、第１リング１１から垂れ下がっている第２リング１２及び第３リング１３の、第１リング１１に対する連結位置を周回方向に調整し、その第２リング１２及び第３リング１３を図３の(ｂ)に示すように、ズボン３０のウエスト部分３２側からそれぞれ、異なる脚部３３、３３側に各々差し込まれ、ウエスト部分３２側から裾３１、３１側に向かって垂らした状態でズボン３０内に収められる。このようにしてズボン３０の脚部３３、３３内にそれぞれ収められた第２リング１２及び第３リング１３は、図３の(ｂ)に示すように第１リング１１と共にズボン３０により外部から隠される。すなわち、裾の汚れ防止補助具１０は、外部から見えないようにズボン３０で隠した状態にして、他人に知られることなく、そのまま外出等をすることができる。
【００３１】
(３)次に、トイレに座って用を足すときには、図４に示すようにズボン３０の裾３１を各々まくり上げる、あるいは裾３１、３１からそれぞれ手５４を差し入れて、裾３１、３１から第２リング１２の下端１２ｂ及び第３リング１３の下端１３ｂを各々表出させる。なお、図４では第２リング１２側の裾３１をまくり上げて第２リング１２の下端１２ｂの一部を表出させた状態を示している。
【００３２】
(４)次いで、ズボン３０の両方の脚部３３、３３の裾３１、３１からそれぞれ引き出した第２リング１２の下端１２ｂ側と第３リング１３の下端１３ｂ側を手首５３、５３に各々かける。更に、図５に示すように、手首５３、５３に第２リング１２と第３リング１３をかけたまま身体を起こすと、ズボン３０の両方の脚部３３、３３の裾３１、３１が各々まくれ上がり、裾３１、３１が便器や床に付くのを防止(保護)できる。
【００３３】
(５)続いて、図６に示すようにそのまま図示しないパンツ等の下着を下げ、図７に示すように用を足す。なお、和式トイレの使用時や裾の幅の広いズボン３０を着用しているときには、第２リング１２と第３リング１３を人体５０の肩等にかけると、第２リング１２と第３リング１３をより短くし、裾３１、３１を更にまくり上げた状態で使用することができる。
【００３４】
(６)その後、お尻を拭くときには、第２リング１２と第３リング１３を片方の手５４に持ち直すことにより、空いた片方の手５４で拭くことができる。
【００３５】
(７)また、用を足した後は図８に示すように立ち上がった状態でパンツ等の下着を履き直し、次いで図９に示すように手５４、５４から第２リング１２と第３リング１３をそれぞれ外すと、ズボン３０の裾３１、３１が便器や床に付かない位置まで下ろすことができる。そして、手５４、５４から外された第２リング１２の下端１２ｂ側と第３リング１３の下端１３ｂ側は、それぞれズボン３０の両方の脚部３３、３３の内側へ逃げ、再び外部から見えないように隠される。これにより一連の動作が終了する。
【００３６】
したがって、この裾の汚れ防止補助具１０の構造では、裾の汚れ防止補助具１０自体が単品で形成され、パンツ類としてのズボン３０を別のズボン３０と履き替える等して変更しても、同じ裾の汚れ防止補助具１０を装着して使用することができる。そのため、ユーザ側では裾の汚れ防止補助具１０は少なくとも一つだけ用意をしておけばよいので、経済的な負担が少なくて済むことになる。また、腰部５１に装着したままでも、他人から装着しているのを知られることがないので、常に身に付けて歩くことができ、便利で紛失する虞も少ない。
【００３７】
また、第１リング１１と第２リング１２と第３リング１３は、それぞれゴムバンドで形成しているので、腰部５１に第１リング１１を脱着するとき、ゴムバンドで形成された第１リング１１は容易に伸びて脱着がし易すい。また、ゴムバンドで形成された第２リング１２と第３リング１３もそれぞれ伸びるので、ズボン３０の両方の脚部３３、３３の裾３１、３１から前記第２リング１２と前記第３リング１３をそれぞれ引き出し、その引き出した第２リング１２の下端１２ｂと第３リング１３の下端１３ｂに、手首５３、５３を各々容易にかけることができる。そして、第２リング１２と第３リング１３を手首５３、５３にかけたまま身体(人体５０)を起こすと、ズボン３０の両方の脚部３３、３３の裾３１、３１が同時に簡単に上がり、裾３１、３１が便器や床に付くのを確実に防止(保護)できる。なお、上下が繋がったオールインワン等のパンツ類の場合は、トイレの時に、下部パンツと繋がっている上部衣服まで脱がなければならないが、この裾の汚れ防止補助具１０を使用した場合では、下部パンツの裾と上部衣服をまとめてたくし上げることにより、上下衣服の汚れを同時に防止できる。
【００３８】
また、第２リング１２と第３リング１３は、第１リング１１との連結位置を第１リング１１の周回方向に調整可能に設けているので、第１リング１１に対する連結位置を第１リング１１の周回方向に各々ずらして調整することにより、違和感を無くして装着することができる。
【００３９】
また、第１リング１１のリングサイズは腰部５１の周回サイズよりも小さく形成され、第２リング１２及び第３リング１３の半径のサイズは、腰部５１に装着された第１リング１１から垂れ下げられたときに、ズボン３０の両方の脚部３３、３３の裾３１、３１から下側に出ない大きさで形成されているので、第１リング１１を腰部５１に装着したままであっても裾の汚れ防止補助具１０全体が腰部５１からずれ落ちることがない。そして、裾の汚れ防止補助具１０を装着したままの状態で歩いたりしても、第２リング１２及び第３リング１３がそれぞれズボン３０の両方の脚部３３、３３の裾３１、３１から突き出すこともなく、他人から見えて知られるとはない。
【００４０】
なお、本考案は、上記実施形態に限定されるものではなく、本考案の目的を達成できる範囲での変形、改良等は本考案に含まれるものである。例えば、上記実施例では、第１リング１１と第２リング１２と第３リング１３が、断面が丸形をしたゴムバンドをリング状に繋いでなる構造を開示したが、断面が長四角形をした平板状のゴムバンドをリング状に繋いでなる構造であっても差し支えないものである。この場合のゴムバンドの太さ及び弾力も、第１リング１１を腰部５１に装着しているとき、第１リング１１が腰部５１からずれ落ちない程度のものを選択する。
【００４１】
また、第１リング１１の途中に、第１リング１１の長さ調整(ウエストの長さ調整)や装着・脱着時における第１リング１１の前開きを可能にする、バックルを付けてもよい。さらに、第２リング１２と第３リング１３が第１リング１１からそれぞれ垂れ下がる長さを調整可能にする部材を、第２リング１２と第３リング１３に各々取り付けることも可能である。
【符号の説明】
【００４２】
１０      裾の汚れ防止補助具
１１      第１リング
１１ａ    第１リング用連結穴
１２      第２リング
１２ａ    第２リング用連結穴
１２ｂ    下端
１３      第３リング
１３ａ    第３リング用連結穴
１３ｂ    下端
２０      矢印
３０      パンツ類(ズボン)
３１      裾
３２      ウエスト部分
３３      脚部
５０      人体
５１      腰部
５２      脚
５３      手首
５４      手
【図１】
0003205748.tif 000003
【図２】
0003205748.tif 000004
【図３】
0003205748.tif 000005
【図４】
0003205748.tif 000006
【図５】
0003205748.tif 000007
【図６】
0003205748.tif 000008
【図７】
0003205748.tif 000009
【図８】
0003205748.tif 000010
【図９】
0003205748.tif 000011